(57)【特許請求の範囲】
【請求項１】
浴槽と、浴槽を落とし込む開口部を有すると共に浴槽を保持する浴槽受と、浴槽に隣接して設置する洗い場とを有する浴室ユニットにおいて、浴槽受や洗い場の一端側にカウンター受部を設けると共にカウンター受部の外側に立ち上がり部を設け、立ち上がり部の上端に壁パネルの下端を受ける壁受部を設け、浴槽受のカウンター受部や立ち上がり部の長手方向の端面と洗い場のカウンター受部や立ち上がり部の長手方向の端面とを突き合わせて接合し、浴槽受や洗い場のカウンター受部の上にこれらの全長に亙るカウンター板を載設し、カウンター板の背部より上方に立ち上げた背部覆い部を浴槽受や洗い場の立ち上がり部の外面に背部覆い部と立ち上がり部の外面との間に隙間ができるように被着し、背部覆い部の上端に折曲縁を全長に亙るように形成して折曲縁を立ち上がり部の上端に沿わせて成ることを特徴とする浴室ユニット。
【発明の詳細な説明】
【０００１】
【発明の属する技術分野】
本発明は、浴槽と浴槽受と洗い場とで構成される浴室ユニットに関するものである。
【０００２】
【従来の技術】
従来のこの種の浴室ユニットとしては、例えば特開平７−１６１６８号公報に開示されるものがある。これは図７に示すように浴槽１と、浴槽１を落とし込む開口部２を有すると共に浴槽１を保持する浴槽受３と、浴槽１に隣接して設置する洗い場４とで構成されている。また浴槽受３の一端部には幅方向に亙るようにカウンター部ａを設けてあり、洗い場４の一端部には上記カウンター部ａと面一になるようにカウンター板ｂを架設してあり、カウンター部ａの長手方向の端面とカウンター板ｂの長手方向の端面とを突き合わせてある。
【０００３】
【発明が解決しようとする課題】
ところが、上記従来例にあっては、浴槽１側のカウンター部ａと洗い場４側のカウンター板ｂとの間の継ぎ目が見えてカウンターに一体感がなく外観が悪いという問題があった。
本発明は叙述の点に鑑みてなされたものであって、浴槽受と洗い場とを繋いだものでも浴槽側から洗い場側まで一体の外観のカウンターを形成できる浴室ユニットを提供するにある。
【０００４】
【課題を解決するための手段】
上記課題を解決するために本発明の浴室ユニットは、浴槽１と、浴槽１を落とし込む開口部２を有すると共に浴槽１を保持する浴槽受３と、浴槽１に隣接して設置する洗い場４とを有する浴室ユニットにおいて、浴槽受３や洗い場４の一端側にカウンター受部５，６を設けると共にカウンター受部５，６の外側に立ち上がり部７，８を設け、立ち上がり部７，８の上端に壁パネル１３の下端を受ける壁受部９，１０を設け、浴槽受３のカウンター受部５や立ち上がり部７の長手方向の端面と洗い場４のカウンター受部６や立ち上がり部８の長手方向の端面とを突き合わせて接合し、浴槽受３や洗い場４のカウンター受部５，６の上にこれらの全長に亙るカウンター板１１を載設し、カウンター板１１の背部より上方に立ち上げた背部覆い部１２を浴槽受３や洗い場４の立ち上がり部７，８の外面に背部覆い部１２と立ち上がり部７，８の外面との間に隙間Ｓができるように被着し、背部覆い部１２の上端に折曲縁２６を全長に亙るように形成して折曲縁２６を立ち上がり部７，８の上端に沿わせて成ることを特徴とする。カウンター板１１を浴槽受３のカウンター受部５と洗い場４のカウンター受部６とに亙って載設することで、浴槽１側と洗い場４側の継ぎ目が見えないように覆って、浴槽１側から洗い場４側まで一体の外観のカウンターを形成できる。またカウンター板１１の背部より上方に立ち上げた背部覆い部１２を浴槽受３や洗い場４の立ち上がり部７，８の外面に被着することで立ち上がり部７，８の継ぎ目まで覆うことができて一層外観のよい施工ができる。また背部覆い部１２を立ち上がり部７，８の外面に背部覆い部１２と立ち上がり部７，８の外面との間に隙間Ｓができるように被着したことにより、カウンター板１１の背部覆い部１２の長手方向の端部を当接する角部がアール状になっていても背部覆い部１２の端部を外観よく仕舞うことができる。
【０００５】
【発明の実施の形態】
浴室ユニットは図２に示すように浴槽１と、浴槽１を落とし込む開口部２を有すると共に浴槽１を保持する浴槽受３と、洗い場４等で構成されいる。浴槽１、浴槽受３、洗い場４はＦＲＰ等の合成樹脂系の材料にて形成されている。浴槽受３はアジャスターボルト１５で上下に高さ調整自在に設けた架台１６の上に補強アーム１７を介して設置されている。浴槽受３の外周の３辺には上方に立ち上がる立ち上がり部７を全長に亙るように設けてあり、立ち上がり部７の上端に壁パネル１３の下端を受ける壁受部９を設けてある。この浴槽受３の一端側には幅方向に亙るようにカウンター受部５を設けてある。洗い場４はアジャスターボルト１８で高さ調整自在に支持されるようになっている。洗い場４の２辺には立ち上がり壁１９，２０を立ち上げてあり、立ち上がり壁２０の上端には上記カウンター受部５と同じレベルとなるカウンター受部６を幅方向に亙って設けてある。また洗い場４には上記立ち上がり部７と同じ高さになる立ち上がり部８を設けてあり、立ち上がり部８の上端には上記壁受部９と同じレベルで壁パネル１３を受ける壁受部１０を設けてある。また洗い場４には上記壁受部９，１０より低い位置で壁パネル１３を受ける壁受部２１も設けてある。洗い場４の浴槽１側に位置する立ち上がり壁１９の上端にはフランジ部３３を長手方向に亙って一体に設けてある。
【０００６】
浴槽受３と洗い場４とを隣接させて設置した状態で浴槽受３のカウンター受部５や立ち上がり部７と洗い場４側のカウンター受部６や立ち上がり部８が連続するように突き合わせられ、洗い場４のフランジ部３３と浴槽受３とを突き合わせた部分がネジ等で接合され、立ち上がり部７，８を突き合わせた部分では壁受部９，１０の間に架設した連結金具２２にて連結される。そして浴槽受３と洗い場４とを突き合わせた部分の全長に亙ってシリコンのようなシール材２３が装填される。浴槽受３には開口部２から落とし込むように浴槽１が取り付けられるが、浴槽１を取り付けた状態で浴槽１のフランジ２４にて浴槽受３とフランジ部３３部との接合部が覆われる。
【０００７】
カウンター板１１はＦＲＰ、人造大理石等の合成樹脂材にて図６に示すように形成されるものであり、上記カウンター受部５，６の全長に亙る長尺物に形成されている。カウンター板１１の前端には下方に突出する前部垂下縁２５を垂下してあり、カウンター板１１の背部には背部覆い部１２を長手方向に亙って上方に突出するように突設してあり、背部覆い部１２の上端に折曲縁２６を全長に亙るように形成してある。カウンター板１１の裏面の適所には粘着テープ２７を設けてあり、粘着テープ２７に離型紙２８を貼ってある。しかしてカウンター板１１を取り付けるにあたっては、図５（ａ）に示すように離型紙２８を剥がし、前部垂下縁２５の裏面側にシリコンのようなシール材３４を塗布し、カウンター板１１をカウンター受部５，６の全長に亙るように貼着すると共に背部覆い部１２で立ち上がり部７，８を覆う。このようにカウンター板１１を取り付けた後、図５（ｂ）（ｃ）に示すようにカウンター板１２の周縁と壁パネル１３との間にシリコンのようなシール材２９を全長に亙って充填する。このようにカウンター板１１を取り付けてカウンターを形成するが、カウンター受部５，６の間の継ぎ目や立ち上がり部７，８間の継ぎ目がカウンター板１１に覆われ、浴槽１から洗い場４までに亙る一体のカウンターが形成される。また本発明の場合、背部覆い部１２と立ち上がり部７，８との間に隙間Ｓができるように取り付けており、このようにすると、背部覆い部１２の長手方向の端部を当接する角部がアール状になっていても、背部覆い部１２の端部を外観よく仕舞うことができる。
【０００８】
【発明の効果】
本発明は叙述の如く浴槽受や洗い場の一端側にカウンター受部を設けると共にカウンター受部の外側に立ち上がり部を設け、立ち上がり部の上端に壁パネルの下端を受ける壁受部を設け、浴槽受のカウンター受部や立ち上がり部の長手方向の端面と洗い場のカウンター受部や立ち上がり部の長手方向の端面とを突き合わせて接合し、浴槽受や洗い場のカウンター受部の上にこれらの全長に亙るカウンター板を載設し、カウンター板の背部より上方に立ち上げた背部覆い部を浴槽受や洗い場の立ち上がり部の外面に被着しているものであって、カウンター板を浴槽受のカウンター受部と洗い場のカウンター受部とに亙って載設することで、浴槽側と洗い場側の継ぎ目が見えないように覆って、浴槽側から洗い場側まで一体の外観のカウンターを形成できるものであり、またカウンター板の背部より上方に立ち上げた背部覆い部を浴槽受や洗い場の立ち上がり部の外面に被着することで立ち上がり部の継ぎ目まで覆うことができて一層外観のよい施工ができるものである。また背部覆い部を立ち上がり部の外面に背部覆い部と立ち上がり部の外面との間に隙間ができるように被着したので、カウンター板の背部覆い部の長手方向の端部を当接する角部がアール状になっていても背部覆い部の端部を外観よく仕舞うことができるものである。
【図面の簡単な説明】
【図１】本発明の実施の形態の一例を示し、（ａ）は一部分解斜視図、（ｂ）は要部の断面図である。
【図２】同上の全体の分解斜視図である。
【図３】同上の浴槽受と洗い場とを接続する状態を示す一部分解斜視図である。
【図４】同上の浴槽受と洗い場とを接続した状態を示す斜視図である。
【図５】同上のカウンター板を取り付ける状態を示し、（ａ）（ｂ）は断面図、（ｃ）は斜視図である。
【図６】同上のカウンター板を示し、（ａ）は平面図、（ｂ）は正面図、（ｃ）は拡大した側面図である。
【図７】従来例を示す斜視図である。
【符号の説明】
１  浴槽
２  開口部
３  浴槽受
４  洗い場
５  カウンター受部
６  カウンター受部
７  立ち上がり部
８  立ち上がり部
９  壁受部
１０  壁受部
１１  カウンター板
１２  背部覆い部
１３  壁パネル
【図１】
0003562259.tif 000002
【図２】
0003562259.tif 000003
【図３】
0003562259.tif 000004
【図４】
0003562259.tif 000005
【図５】
0003562259.tif 000006
【図６】
0003562259.tif 000007
【図７】
0003562259.tif 000008